(57)【要約】【課題】断面形状が非真円形状であるものであって、生涯にわたりフィルタ担体の全面を利用して排気を浄化できるフィルタ担体を提供すること。【解決手段】フィルタ担体２は、排気流方向に対し垂直な断面視では中心軸Ｏと長軸ＯＬと短軸ＯＳとが定義される楕円形状であって、セルを区画形成する多孔質壁３１１，３１２，３１３には粒子状物質の燃焼を促進する触媒が担持される。断面視におけるフィルタ担体２において、中心軸Ｏを中心としかつ短軸ＯＳに沿った短径を半径とする仮想円Ｃと、仮想円Ｃと長軸ＯＬとの交点Ｐ１，Ｐ２と、を定義した場合、長軸ＯＬに沿って交点Ｐ１，Ｐ２より外側の第１長径端部４１，４２の多孔質壁３１１，３１２の単位面積当りの触媒担持量は、長軸ＯＬに沿って交点Ｐ１，Ｐ２より内側の中央部４３の多孔質壁３１３の単位面積当りの触媒担持量よりも多い。【選択図】図３
2019148210.tif 000002
【特許請求の範囲】
【請求項１】
内燃機関の排気通路に設けられ、前記内燃機関の排気に含まれる粒子状物質を捕集する柱状のフィルタ担体であって、
前記フィルタ担体は、排気流方向に沿って延びる複数の多孔質壁と、これら多孔質壁により区画形成された複数のセルと、を備え、前記排気流方向に対し垂直な断面視では、長手方向及び短手方向が定義される非真円形状であり、
前記多孔質壁には粒子状物質の燃焼を促進する触媒が担持され、
前記断面視における前記フィルタ担体を、前記長手方向における両端部である第１端部及び第２端部と前記第１及び第２端部以外の部分である中央部とに分けた場合、前記多孔質壁の単位面積当りの触媒担持量は、前記中央部よりも前記第１及び第２端部の方が多いことを特徴とするフィルタ担体。
【請求項２】
前記セルの開口面積は、前記中央部よりも前記第１及び第２端部の方が小さいことを特徴とする請求項１に記載のフィルタ担体。
【請求項３】
内燃機関の排気通路に設けられ、前記内燃機関の排気に含まれる粒子状物質を捕集する柱状のフィルタ担体であって、
前記フィルタ担体は、排気流方向に沿って延びる複数の多孔質壁と、これら多孔質壁により区画形成された複数のセルと、を備え、前記排気流方向に対し垂直な断面視では中心軸と長軸と短軸とが定義される楕円形状であり、
前記多孔質壁には粒子状物質の燃焼を促進する触媒が担持され、
前記断面視における前記フィルタ担体において、前記中心軸を中心としかつ前記短軸に沿った短径を半径とする仮想円と、当該仮想円と前記長軸との交点と、を定義した場合、前記多孔質壁の単位面積当たりの触媒担持量は、前記長軸に沿って前記交点に対し内側よりも外側の方が多いことを特徴とするフィルタ担体。
【請求項４】
前記セルの開口面積は、前記長軸に沿って前記交点に対し内側よりも外側の方が小さいことを特徴とする請求項３に記載のフィルタ担体。
【発明の詳細な説明】
【技術分野】
【０００１】
本発明は、フィルタ担体に関する。より詳しくは、内燃機関の排気通路に設けられ、この内燃機関の排気に含まれる粒子状物質を捕集するフィルタ担体に関する。
【背景技術】
【０００２】
内燃機関の排気に含まれる粒子状物質を、排気通路に設けた排気浄化装置で捕集する技術は広く知られている。排気浄化装置は、排気流方向に沿って延びる複数の多孔質壁及びこれら多孔質壁により区画形成された複数のセルを有する柱状のフィルタ担体と、このフィルタ担体を収容するケースと、を備える。
【０００３】
ところでフィルタ担体は、断面形状を真円形状としたものが主流である。しかしながら車両のエンジンルームには、内燃機関や排気浄化フィルタの他、様々な装置が配置される。そこでエンジンルーム内のレイアウトの自由度を向上するため、フィルタ担体の断面形状を、例えば特許文献１の図３に示すような非真円形状（より具体的には、例えばトラック形状）とすることも考えられる。
【先行技術文献】
【特許文献】
【０００４】
【特許文献１】特開平１０−４３６０３号公報
【発明の概要】
【発明が解決しようとする課題】
【０００５】
ところでフィルタ担体によって捕集された粒子状物質は、車両の走行中に定期的に実行するフィルタ再生処理や、排気中のＮＯ２を用いた連続再生処理等によって適宜燃焼除去される。しかしながら上記のように断面形状を非真円形状とした場合、その長手方向における両端側は中央側よりも排気が流れにくくなっているため、粒子状物質の燃え残りが堆積しやすくなってしまう。粒子状物質の燃え残りが堆積すると、その部分における圧損が高くなるので、排気はさらに中央側を流れるようになってしまい、結果としてフィルタ担体の全面を利用して排気を浄化できなくなってしまうおそれがある。
【０００６】
本発明は、断面形状が非真円形状であるものであって、生涯にわたりフィルタ担体の全面を利用して排気を浄化できるフィルタ担体を提供することを目的とする。
【課題を解決するための手段】
【０００７】
（１）本発明に係るフィルタ担体（例えば、後述のフィルタ担体２，２ａ）は、内燃機関の排気通路に設けられ、前記内燃機関の排気に含まれる粒子状物質を捕集する柱状であって、排気流方向（例えば、後述の排気流方向Ｆ）に沿って延びる複数の多孔質壁（例えば、後述の多孔質壁３１）と、これら多孔質壁により区画形成された複数のセル（例えば、後述のセル３２）と、を備え、前記排気流方向に対し垂直な断面視では、長手方向（例えば、後述の長手方向ＬＤ又は長軸ＯＬに沿った方向）及び短手方向（例えば、後述の短手方向ＳＤ又は短軸ＯＳに沿った方向）が定義される非真円形状であって、前記多孔質壁には粒子状物質の燃焼を促進する触媒が担持され、前記断面視における前記フィルタ担体を、前記長手方向における両端部である第１端部（例えば、後述の第１長径端部４１，４１ａ）及び第２端部（例えば、後述の第２長径端部４２，４２ａ）と前記第１及び第２端部以外の部分である中央部（例えば、後述の中央部４３，４３ａ）とに分けた場合、前記多孔質壁の単位面積当りの触媒担持量は、前記中央部よりも前記第１及び第２端部の方が多いことを特徴とする。
【０００８】
（２）この場合、前記セルの開口面積は、前記中央部よりも前記第１及び第２端部の方が小さいことが好ましい。
【０００９】
（３）本発明に係るフィルタ担体（例えば、後述のフィルタ担体２）は、内燃機関の排気通路に設けられ、前記内燃機関の排気に含まれる粒子状物質を捕集する柱状であって、排気流方向（例えば、後述の排気流方向Ｆ）に沿って延びる複数の多孔質壁（例えば、後述の多孔質壁３１）と、これら多孔質壁により区画形成された複数のセル（例えば、後述のセル３２）と、を備え、前記排気流方向に対し垂直な断面視では中心軸（例えば、後述の中心軸Ｏ）と長軸（例えば、後述の長軸ＯＬ）と短軸（例えば、後述の短軸ＯＳ）とが定義される楕円形状であって、前記多孔質壁には粒子状物質の燃焼を促進する触媒が担持され、前記断面視における前記フィルタ担体において、前記中心軸を中心としかつ前記短軸に沿った短径を半径とする仮想円（例えば、後述の仮想円Ｃ）と、当該仮想円と前記長軸との交点（例えば、後述の交点Ｐ１，Ｐ２）と、を定義した場合、前記多孔質壁の単位面積当たりの触媒担持量は、前記長軸に沿って前記交点に対し内側よりも外側の方が多いことを特徴とする。
【００１０】
（４）この場合、前記セルの開口面積は、前記長軸に沿って前記交点に対し内側よりも外側の方が小さいことが好ましい。
【発明の効果】
【００１１】
（１）本発明では、フィルタ担体として、排気流方向に対し垂直な断面形状が、長手方向及び短手方向が定義される非真円形状のものを用いる。これにより、真円形状のフィルタ担体を用いた場合と比較して、エンジンルーム内のレイアウトの自由度を向上できる。また本発明では、断面視におけるフィルタ担体を、長手方向における両端部である第１端部及び第２端部と、これら第１及び第２端部以外の部分である中央部に分け、これら第１及び第２端部における触媒担持量を中央部における触媒担持量よりも多くする。上記のようにフィルタ担体の断面形状を非真円形状とすると、第１及び第２端部には中央部よりも粒子状物質の燃え残りが生じやすくなる。これに対し本発明では、第１及び第２端部における触媒担持量を中央部における触媒担持量よりも多くする。これにより第１及び第２端部に捕集された粒子状物質は、中央部よりも高い密度で担持された触媒の作用下で、中央部から伝わる熱によって効率的に燃焼除去できるので、第１及び第２端部における粒子状物質の燃え残りを低減できる。従って本発明によれば、生涯にわたりフィルタ担体の全面を利用して排気を浄化できる。
【００１２】
（２）本発明では、第１及び第２端部におけるセルの開口面積を、中央部におけるセルの開口面積よりも小さくする。これにより、第１及び第２端部におけるセルに流入する排気の量を適切な量に制限できるので、第１及び第２端部における粒子状物質の燃え残りをさらに低減できる。従って本発明によれば、生涯にわたりフィルタ担体の全面を利用して排気を浄化できる。
【００１３】
（３）本発明では、フィルタ担体として、排気流方向に対し垂直な断面形状が、中心軸と長軸と短軸とが定義される楕円形状のものを用いる。これにより、真円形状のフィルタ担体を用いた場合と比較して、エンジンルーム内のレイアウトの自由度を向上できる。また本発明では、断面視におけるフィルタ担体において、中心軸を中心としかつ短軸に沿った短径を半径とする仮想円と、この仮想円と長軸との交点と、を定義した場合、長軸に沿って交点より外側の触媒担持量を内側の触媒担持量よりも多くする。これによりフィルタ担体において交点より外側の部分で捕集された粒子状物質は、交点より内側の部分よりも高い密度で担持された触媒の作用下で、交点より内側の部分から伝わる熱によって効率的に燃焼除去できるので、交点より外側の部分における粒子状物質の燃え残りを低減できる。従って本発明によれば、生涯にわたりフィルタ担体の全面を利用して排気を浄化できる。
【００１４】
（４）本発明では、交点より外側の部分におけるセルの開口面積を、交点より内側の部分におけるセルの開口面積よりも小さくする。これにより、交点より外側の部分におけるセルに流入する排気の量を適切な量に制限できるので、交点より外側の部分における粒子状物質の燃え残りをさらに低減できる。従って本発明によれば、生涯にわたりフィルタ担体の全面を利用して排気を浄化できる。
【図面の簡単な説明】
【００１５】
【図１】本発明の第１実施形態に係るフィルタ担体を備える排気浄化装置の斜視図である。
【図２】フィルタ担体のうち排気が流れる部分である排気浄化ブロックの断面図である
【図３】フィルタ担体の中心軸に対し垂直な断面図である。
【図４】フィルタ担体の製造方法を示す図である。
【図５】本発明の第２実施形態に係るフィルタ担体の中心軸に対し垂直な断面図である。
【発明を実施するための形態】
【００１６】
＜第１実施形態＞
以下、本発明の第１実施形態について、図面を参照しながら説明する。
図１は、本実施形態に係る柱状のフィルタ担体２を備える排気浄化装置１の斜視図である。
【００１７】
排気浄化装置１は、図示しないディーゼル内燃機関の排気通路に設けられ、内燃機関の排気に含まれる粒子状物質を捕集するＤＰＦ（Ｄｉｅｓｅｌ  Ｐａｒｔｉｃｕｌａｔｅ  Ｆｉｌｔｅｒ）と呼称される排気浄化フィルタである。この排気浄化装置１は、柱状のフィルタ担体２と、このフィルタ担体２を収納する筒状のケース８と、フィルタ担体２とケース８との間においてフィルタ担体２の外周を囲むように設けられたマット（図示せず）と、を備える。排気浄化装置１は、矢印Ｆで示す排気流方向とフィルタ担体２の中心軸Ｏとが平行になるように、図示しない内燃機関の排気通路に組み込まれる。すなわち、フィルタ担体２において、図１中上方側の端面は排気が流入する排気流入端面２Ｕとなっており、図１中下方側の端面は排気が流出する排気流出端面２Ｄとなっている。
【００１８】
フィルタ担体２は、排気流入端面２Ｕから排気流出端面２Ｄまで排気流方向Ｆに沿って延びる複数のセル３２が形成された柱状の排気浄化ブロック３と、この排気浄化ブロック３の外周面のうち排気流入端面２Ｕ及び排気流出端面２Ｄを除く部分において層状に形成された筒状の外皮部６と、を備える。
【００１９】
図２は、フィルタ担体２のうち排気が流れる部分である排気浄化ブロック３の断面図である。図２において左側は排気流入端面２Ｕ側を示し、右側は排気流出端面２Ｄ側を示す。
【００２０】
排気浄化ブロック３は、排気流方向Ｆに沿って延びる複数枚の多孔質壁３１と、これら多孔質壁３１により区画形成され、排気の流路となる複数のセル３２と、を備える。多孔質壁３１は、例えば多孔質炭化ケイ素によって形成される。セル３２は、上流側セル３２１と下流側セル３２２とに分けられ、これら上流側セル３２１と下流側セル３２２とは交互に配置される。
【００２１】
上流側セル３２１の下流側には、上流側セル３２１の内部から排気浄化ブロック３の下流側へ排気が流出するのを防止する下流側目封じ３４が設けられている。また、下流側セル３２２の上流側には、排気浄化ブロック３の上流側から下流側セル３２２の内部へ排気が流入するのを防止する上流側目封じ３３が設けられている。また、多孔質壁３１には、複数の気孔が形成されており、排気が通過可能となっている。
【００２２】
すなわち、排気浄化ブロック３の排気流入端面２Ｕから流入する排気は、先ず、上流側セル３２１内に流入し、多孔質壁３１を通過して下流側セル３２２へ流入し、排気流出端面２Ｄから流出する。ここで、排気が多孔質壁３１を通過する際、多孔質壁３１の上流側の面及び多孔質壁３１内に形成された無数の孔には、排気中の粒子状物質が堆積する。またこれら多孔質壁３１には、白金や銀等、堆積した粒子状物質の燃焼を促進する既知の触媒が担持されている。これにより多孔質壁３１によって捕集された粒子状物質は、この触媒の作用下で適宜燃焼除去される。以上のように、排気浄化装置１では、排気を排気浄化ブロック３に通過させることにより排気を浄化する。
【００２３】
図３は、フィルタ担体２の中心軸Ｏに対し垂直な断面図である。図３に示すように、排気流方向と平行な中心軸Ｏに対し垂直な断面視におけるフィルタ担体２の輪郭線、すなわち外皮部６の形状は、２つの焦点（図示せず）と、これら２つの焦点及び中心軸Ｏを通過する長軸ＯＬと、この長軸ＯＬに直交しかつ中心軸Ｏを通過する短軸ＯＳと、が定義される楕円形状である。
【００２４】
図３に示すように、断面形状が楕円形状であるフィルタ担体２には、断面視では、中心軸Ｏを中心としかつ短軸ＯＳに沿った短径を半径とする仮想円Ｃと、この仮想円Ｃと長軸ＯＬとの２つの交点Ｐ１，Ｐ２とを定義することができる。またこのような定義の下では、断面視におけるフィルタ担体２は、交点Ｐ１，Ｐ２において長軸ＯＬに沿って３つの領域に分けることができる。以下では、長軸ＯＬに沿って第１交点Ｐ１より外側の部分を第１長径端部４１といい、長軸ＯＬに沿って第２交点Ｐ２より外側の部分を第２長径端部４２といい、中心軸Ｏ及び短軸ＯＳを含みかつ長軸ＯＬに沿って第１交点Ｐ１及び第２交点Ｐ２より内側の部分を中央部４３という。
【００２５】
また断面形状が楕円形状であるフィルタ担体２では、第１長径端部４１及び第２長径端部４２は、中心軸Ｏを含む中央部４３よりも排気が流れにくく、粒子状物質の燃え残りが堆積しやすい。このため、第１長径端部４１及び第２長径端部４２を構成する多孔質壁３１１，３１２の単位面積当りにおける粒子状物質の燃焼を促進するための触媒担持量ａ１，ａ２［ｇ／ｃｍ２］は、中央部４３を構成する多孔質壁３１３の単位面積当りの触媒担持量ａ３［ｇ／ｃｍ２］よりも多い（ａ１，ａ２＞ａ３）。
【００２６】
なお、多孔質壁に担持される触媒の量には少なからずむらが生じるため、多孔質壁の単位面積当りの触媒担持量はこの担持むらに起因して意図せず差が生じる場合がある。これに対し多孔質壁３１１，３１２の単位面積当りの触媒担持量ａ１，ａ２と、多孔質壁３１３の単位面積当たりの触媒担持量ａ３との差は、少なくとも担持むらに起因して生じる触媒担持量の差、より具体的には触媒担持量ａ３の１０％以上であることが好ましい（ａ１−ａ３≧ａ３×０．１、ａ２−ａ３≧ａ３×０．１）。
【００２７】
また図３に示すように、第１長径端部４１に形成されているセル３２５の開口面積ｂ１［ｃｍ２］及び第２長径端部４２に形成されているセル３２６の開口面積ｂ２［ｃｍ２］は、中央部４３に形成されているセル３２７の開口面積ｂ３［ｃｍ２］よりも小さい（ｂ１，ｂ２＜ｂ３）。
【００２８】
なお後に製造方法を説明するように、これら長径端部４１，４２と中央部４３とは、それぞれ異なる開口面積を備える第１セグメント７１，７２によって構成される。より具体的には、図３に示すように、中央部４３は、４つの第１セグメント７１を組み合わせることによって構成され、第１長径端部４１及び第２長径端部４２は、それぞれ第１セグメント７１よりも開口面積が小さい２つの第２セグメント７２を組み合わせることによって構成される。
【００２９】
以上のような第１実施形態に係るフィルタ担体２によれば、以下の効果を奏する。
（１）本実施形態では、フィルタ担体２として、排気流方向Ｆに対し垂直な断面形状が、中心軸Ｏと長軸ＯＬと短軸ＯＳとが定義される楕円形状のものを用いる。これにより、真円形状のフィルタ担体を用いた場合と比較して、エンジンルーム内のレイアウトの自由度を向上できる。また本実施形態では、断面視におけるフィルタ担体２において、中心軸Ｏを中心としかつ短軸ＯＳに沿った短径を半径とする仮想円Ｃと、この仮想円Ｃと長軸ＯＬとの交点と、を定義した場合、長軸ＯＬに沿って交点Ｐ１、Ｐ２より外側の長径端部４１，４２における触媒担持量を内側の中央部４３における触媒担持量よりも多くする。これによりフィルタ担体２において交点Ｐ１，Ｐ２より外側の長径端部４１，４２で捕集された粒子状物質は、交点Ｐ１，Ｐ２より内側の中央部４３よりも高い密度で担持された触媒の作用下で、中央部４３から伝わる熱によって効率的に燃焼除去できるので、長径端部４１，４２における粒子状物質の燃え残りを低減できる。従って本実施形態によれば、生涯にわたりフィルタ担体２の全面を利用して排気を浄化できる。
【００３０】
（２）本実施形態では、長径端部４１，４２におけるセル３２５，３２６の開口面積を、中央部４３におけるセル３２７の開口面積よりも小さくする。これにより、長径端部４１，４２におけるセル３２５，３２６に流入する排気の量を適切な量に制限できるので、長径端部４１，４２における粒子状物質の燃え残りをさらに低減できる。従って本実施形態によれば、生涯にわたりフィルタ担体２の全面を利用して排気を浄化できる。
【００３１】
次に、触媒担持量及び開口面積が異なる部分を備えるフィルタ担体２の製造方法について図面を参照しながら説明する。
図４は、フィルタ担体２の製造方法を示す図である。
【００３２】
まず、（ａ）に示すように、２種類のセグメント７１，７２を用意する。セグメント７１，７２は、完成品であるフィルタ担体２の一部を構成する部材であり、多孔質壁で区画された多数のセルを有し、セルの両端面は隣接するセルと交互に一方の端面及び他方の端面が封止されている。セグメント７１，７２は、軸線方向はフィルタ担体２と等しい長さの四角柱形状である。また第１セグメント７１のセルの開口面積は、第２セグメント７２よりセルの開口面積よりも大きい。これらセグメント７１，７２は、フィルタ担体２が構成可能な数だけ、例えば各セグメント７１，７２を４本ずつ用意される。
【００３３】
次に、（ｂ）に示すようにセグメント７１，７２に接合材７３を塗布する。
【００３４】
次に、（ｃ）に示すように接合材７３を塗布したセグメント７１，７２を組み立てる。これにより（ｄ）に示すように、接合材７３を塗布したセグメント７１，７２が組み立てられ、フィルタ担体２が構成可能な大きさのブロック７４、すなわち接合したセグメントが形成される。本実施形態では、セルの開口面積が大きい第１セグメント７１を２行２列で組み、これら４本の第１セグメント７１で構成されたブロックの両側に２本ずつ第２セグメント７２を接合することによって、ブロック７４を形成する。
【００３５】
次に、（ｅ）に示すように、ブロック７４に対し、切削加工を行う。（ｅ）では、軸線に沿って視た場合における輪郭線７５が楕円形状になるように、ブロック７４に対し切削加工を行う。これにより、（ｆ）に示すように、セルの内部が露出する。
【００３６】
次に、（ｇ）に示すように、切削加工を経たブロック７４に対し、シール材７６の塗布を行う。（ｇ）では、シール材７６は、フィルタ担体２のうち排気流入端面２Ｕ及び排気流出端面２Ｄとなる部分を除いた全面に塗布される。シール材７６には、ペースト状の無機バインダ、有機バインダ、無機繊維、無機粒子又はこれらを組み合わせて構成されたものが用いられる。これにより、完成品であるフィルタ担体２において、長径端部４１，４２となる部分がセグメント７２によって形成され、中央部４３となる部分がセグメント７１によって形成され、外皮部６となる部分がシール材７６によって形成される。
【００３７】
次に、（ｈ）に示すように、バインダと触媒とを所定の割合で配合することでスラリーを調整し、このスラリーが溜められた容器７７に、（ｇ）を経て成形されたフィルタ担体２の下端面を含浸し、上端面からスラリーを吸引することによって、フィルタ担体２を構成する多孔質壁の全てに触媒を担持させた後、このスラリーを乾燥させる。
【００３８】
次に、（ｈ）を経たフィルタ担体２の端面うち中央部４３となる部分にマスキングテープ７８を貼り付けた後、このフィルタ担体２の下端面を再びスラリーに含浸し、上端面からスラリーを吸引することによって、フィルタ担体２のうち長径端部４１，４２を構成する多孔質壁にのみ余分に触媒を担持させる。これにより、本実施形態に係るフィルタ担体２が製造される。
【００３９】
＜第２実施形態＞
次に、本発明の第２実施形態について、図面を参照しながら説明する。
図５は、本実施形態に係るフィルタ担体２ａの中心軸Ｏａに対し垂直な断面図である。本実施形態に係るフィルタ担体２ａは、第１実施形態に係るフィルタ担体２と中心軸Ｏに対し垂直な断面における断面形状が異なる。
【００４０】
図５に示すように、排気流方向と平行な中心軸Ｏａに対し垂直な断面視におけるフィルタ担体２ａの輪郭線、すなわち外皮部６ａの形状は、長手方向ＬＤ及び短手方向ＳＤが定義される長円形状（所謂、トラック形状）である。以下では、フィルタ担体２ａの断面視における輪郭線の形状を長円形状とした場合について説明するが、本発明はこれに限らない。本発明は、フィルタ担体の断面視における輪郭線の形状が、長手方向及び短手方向が定義される非真円形状であればどのような形状でも適用できる。ここで長手方向及び短手方向が定義される非真円形状とは、真円が短手方向に沿ってやや扁平した形状であり、より具体的には図５に示すような長円形状の他、楕円形状、角丸長方形状、及び卵形状等が挙げられる。
【００４１】
以下では、長円形状である外皮部６ａにおいて、短手方向ＳＤの対向する二辺を第１短径部ＳＤ１及び第２短径部ＳＤ２といい、長手方向ＬＤの対向する二辺を第１長径部ＬＤ１及び第２長径部ＬＤ２という。なお外皮部６ａが長円形状である場合、図５に示すように、第１短径部ＳＤ１及び第２短径部ＳＤ２は互いに平行の直線状となり、第１長径部ＬＤ１及び第２長径部ＬＤ２は半円状となる。
【００４２】
図５に示すように、断面形状が非真円形状であるフィルタ担体２ａは、断面視では、長手方向ＬＤにおける両端部でありかつ第１長径部ＬＤ１及び第２長径部ＬＤ２を含む部分である第１長径端部４１ａ及び第２長径端部４２ａと、これら長径端部４１ａ，４２ａ以外の部分でありかつ中心軸Ｏａと第１短径部ＳＤ１と第２短径部ＳＤ２とを含む部分である中央部４３ａと、に分けることができる。
【００４３】
また断面形状が非真円形状であるフィルタ担体２ａでは、第１長径端部４１ａ及び第２長径端部４２ａは、中心軸Ｏａを含む中央部４３ａよりも排気が流れにくく、粒子状物質の燃え残りが堆積しやすい。このため、第１長径端部４１ａ及び第２長径端部４２ａを構成する多孔質壁３１１ａ，３１２ａの単位面積当たりにおける粒子状物質の燃焼を促進するための触媒担持量ｃ１，ｃ２［ｇ／ｃｍ２］は、中央部４３ａを構成する多孔質壁３１３ａの単位面積当りの触媒担持量ｃ３［ｇ／ｃｍ２］よりも多い（ｃ１，ｃ２＞ｃ３）。また第１実施形態と同様に、多孔質壁３１１ａ，３１２ａの単位面積当りの触媒担持量ｃ１，ｃ２と、多孔質壁３１３ａの単位面積当たりの触媒担持量ｃ３との差は、少なくとも担持むらに起因して生じる触媒担持量の差、より具体的には触媒担持量ｃ３の１０％以上であることが好ましい（ｃ１−ｃ３≧ｃ３×０．１、ｃ２−ｃ３≧ｃ３×０．１）。
【００４４】
また図５に示すように、第１長径端部４１ａに形成されているセル３２５ａの開口面積ｄ１［ｃｍ２］及び第２長径端部４２ａに形成されているセル３２６ａの開口面積ｄ２［ｃｍ２］は、中央部４３ａに形成されているセル３２７ａの開口面積ｄ３［ｃｍ２］よりも小さい（ｄ１，ｄ２＜ｄ３）。
【００４５】
以上のような第２実施形態に係るフィルタ担体２ａによれば、第１実施形態に係るフィルタ担体２と同様の効果を奏する。
【符号の説明】
【００４６】
１…排気浄化装置
２，２ａ…フィルタ担体
３１…多孔質壁
３２…セル
４１，４１ａ…第１長径端部（第１端部）
４２，４２ａ…第２長径端部（第２端部）
４３，４３ａ…中央部
６，６ａ…外皮部
Ｏ，Ｏａ…中心軸
ＯＬ…長軸（長手方向）
ＯＳ…短軸（短手方向）
Ｃ…仮想円
Ｐ１，Ｐ２…交点
ＬＤ…長手方向
ＳＤ…短手方向
【図１】
2019148210.tif 000003
【図２】
2019148210.tif 000004
【図３】
2019148210.tif 000005
【図４】
2019148210.tif 000006
【図５】
2019148210.tif 000007